(57)【要約】    【課題】  ユーザの様々なニーズが反映され、しかも手間を取らせることなく施設の検索ができる情報端末装置を提供すること。    【解決手段】  地図情報及び施設情報をディスプレイ１６ａ上に表示し、経路誘導を行うナビゲーション機能を有する情報端末装置１０において、予め設定された施設に関する複数の情報を表す複数の検索条件の中からユーザ所望の検索条件を指定させるための検索パラメータ入力手段と、複数の検索条件の内少なくとも１つの条件と対応している索引データが付加された施設情報データを記憶している施設情報記憶手段１５と、検索パラメータ入力手段を介して指定された検索条件に従って、施設を検索する施設情報検索手段と、該施設情報検索手段の検索結果をディスプレイ１６ａ上に表示させる施設情報出力手段とを装備する。【選択図】  図１
2006162516.tif 000002
【特許請求の範囲】
【請求項１】
地図情報及び施設情報をディスプレイ上に表示し、経路誘導を行うナビゲーション機能を有する情報端末装置において、
予め設定された施設に関する複数の情報を表す複数の検索条件の中からユーザ所望の検索条件を指定させるための検索パラメータ入力手段と、
前記複数の検索条件の内少なくとも１つの条件と対応している索引データが付加された施設情報データを記憶している施設情報記憶手段と、
前記検索パラメータ入力手段を介して指定された検索条件に従って、施設を検索する施設情報検索手段と、
該施設情報検索手段の検索結果をディスプレイ上に表示させる施設情報出力手段とを備えていることを特徴とする情報端末装置。
【請求項２】
前記検索条件の中に、施設の種類名と各種類における施設グループ名が含まれている他に、種類別に設定された使用目的、施設のサービス内容及び施設の設備特徴をそれぞれ表す複数のキーワードが含まれていることを特徴とする請求項１記載の情報端末装置。
【請求項３】
前記施設情報記憶手段に、施設の所在地を含む施設の詳細情報を表すデータに前記索引データが付加された施設情報データが記憶されていることを特徴とする請求項１又は請求項２記載の情報端末装置。
【請求項４】
前記検索パラメータ入力手段が、予め用意された選択項目を指定させることにより、前記検索条件を入力させるものであることを特徴とする請求項１〜３のいずれかの項に記載の情報端末装置。
【請求項５】
前記検索パラメータ入力手段が、エリア条件を入力させるものであることを特徴とする請求項４記載の情報端末装置。
【請求項６】
前記検索パラメータ入力手段を介して、前記使用目的と、前記施設のサービス内容と、前記施設の設備特徴との「ＡＮＤ」検索方式、及び「ＯＲ」検索方式が指定可能であることを特徴とする請求項４又は請求項５記載の情報端末装置。
【請求項７】
前記施設情報検索手段が、指定された「ＡＮＤ」検索方式又は「ＯＲ」検索方式に基づいて、指定された検索条件と一致する索引データを有する施設情報データを検出し、さらに、検出された該施設情報データの中から、指定されたエリア条件を満たす施設情報データを検出するように検索を行うものであることを特徴とする請求項６記載の情報端末装置。
【請求項８】
前記検索結果から施設名を選択すると該施設に関する詳細情報が表示されることを特徴とする請求項１〜７のいずれかの項に記載の情報端末装置。
【請求項９】
前記「ＡＮＤ」検索方式又は前記「ＯＲ」検索方式による検索結果から前記エリア条件を満たす施設情報データが検出されなかった場合、前記エリア条件を満たす施設情報データが検出されなかったことを知らせる通知が出力されるとともに、前記検索結果の中に前記エリアに一番近い所在地の施設が出力されることを特徴とする請求項８記載の情報端末装置。
【請求項１０】
前記「ＡＮＤ」検索方式により、指定された条件を満たす施設情報データが検出されなかった場合、指定された条件を満たす施設情報データが検出されなかったことを知らせる通知が出力されるとともに、指定された使用目的、指定された施設のサービス内容、及び指定された施設の設備特徴に対して、別々に検索を行った結果が出力されることを特徴とする請求項８又は請求項９記載の情報端末装置。
【請求項１１】
前記検索結果から選択された施設の所在地を経路案内の目的地に設定することが可能であることを特徴とする請求項８〜１０のいずれかの項に記載の情報端末装置。
【請求項１２】
前記検索結果から選択された施設をメモリすることが可能であることを特徴とする請求項８〜１１のいずれかの項に記載の情報端末装置。
【請求項１３】
前記検索パラメータ入力手段を介して、前記種類名、前記グループ名、前記使用目的、前記施設のサービス内容及び前記施設の設備特徴に該当するものをそれぞれ指定することにより、既知施設を登録し、前記施設情報記憶手段に記憶させることが可能であることを特徴とする請求項１〜１２のいずれかの項に記載の情報端末装置。
【発明の詳細な説明】
【技術分野】
【０００１】
本発明は情報端末装置に関し、より詳細には、施設情報の検索が可能な情報端末装置（例えば、カーナビゲーション装置）に関する。
【背景技術】
【０００２】
施設に関する情報を提供する情報端末装置の１つとして、車両に搭載されたナビゲーション装置が広く利用されている。従来の車載用ナビゲーション装置は、施設情報を格納したデータベース中の施設名又は施設の住所（又は電話番号）を検索条件とし、ユーザが施設名又は施設の住所（又は電話番号）を入力すれば、入力された施設名または施設の所在地と一致した施設を前記データベースから検出し、その位置をディスプレイ上に表示するようになっている。
【０００３】
前記検索条件の入力方法としては、階層構造となっている住所選択ツリーを利用して県、市、区、町の順で住所を選択する方法と、直接施設名（又は電話番号）を入力する方法の二通りしかないため、名称（又は電話番号）と住所の不明な施設を検索することができない。
【０００４】
これに対して、施設グループが階層化されたデータベースを構築することにより、施設グループを検索条件として検索を行うナビゲーション装置が提案されている。例えば、下記の特許文献１に開示されている車載用ナビゲーション装置は、施設種類毎の索引データを格納した索引データベースと、地図データを格納した地図データベースと、利用者が希望する条件を複数個入力させる条件入力手段と、入力された条件を満たす施設を索引データベースから検索する索引選択手段と、選択された施設データについて地図データベースからその施設を含む地図とその施設に関する情報をディスプレイに表示する表示手段とを備えることにより、利用者の所望の条件が入力されると、該条件を満たす施設を検索して前記ディスプレイに表示する。
【０００５】
図１１は、特許文献１に開示されている車載用ナビゲーション装置の施設検索画面を示す図である。図１１に示したように、検索画面上に、「レストラン」、「映画館」、「ゴルフ場」などの施設グループがリストアップされており、これらの中から例えば「レストラン」が選択されると、さらに「和食」、「フランス料理」、「インド料理」などの飲食店のグループがリストアップされ、これらの中から例えば「インド料理」が選択されると、「インド料理」に関する店の情報がより詳細に表示されるようになっている。即ち、ユーザが施設グループの階層に従って所望の施設を検索することができる。
【０００６】
また、施設グループ以外に、用途を検索条件とするナビゲーション装置も提案されている。例えば、下記の特許文献２に開示されているナビゲーション装置は、カテゴリー別に分類された複数の施設の位置を記憶した施設情報記憶手段と、複数のカテゴリーが用途別にグループ化されたテーブルを記憶するグループ化テーブル記憶手段と、ユーザが用途を入力するための入力手段と、前記入力手段を介して入力された用途に対応するグループのカテゴリーを前記グループ化テーブル記憶手段に記憶されたテーブルを参照して調べ、これらのカテゴリーの施設のうち設定された範囲内に存在する施設を探索する探索手段とを備えており、複数のカテゴリーから目的に応じた施設を検索することができるようになっている。
【０００７】
図１２は、特許文献２に開示されているナビゲーション装置における、用途によってグループ化された施設のカテゴリーを示す表である。図１２に示したように、例えば「トイレを借りる」という用途で、「コンビニエンスストア、デパート、駅」がグループ化されており、「食事をする」という目的で、「レストラン、ファーストフード店、コンビニエンスストア、ホテル」がグループ化されている。このため、施設グループに限定されず、ユーザの所望用途に応じた施設の検索が可能になる。
【０００８】
しかしながら、特許文献１に開示されている施設グループにより施設の検索を行うナビゲーション装置の場合、ユーザは施設グループの階層に従って施設を検索するため、施設名から施設を選択するしかなく、選択された施設が自分のニーズを満たすか否かが判断できない場合が多い。例えば、宴会のできる中華レストランを探したい場合、中華レストランのリストからではどの店を選んだら宴会ができるかが判断できない。即ち、ユーザのニーズが反映される施設の検索ができないという課題があった。
また、階層による検索方式を採用しているため、検索に手間がかかるといった課題もあった。
【０００９】
また、特許文献２に開示されている施設の用途を検索条件とするナビゲーション装置の場合、ユーザの用途に応じた施設を複数のカテゴリーの中から１つ選択することができるため、ユーザの用途に関するニーズを満たす施設を選ぶことはできるが、複数の用途があった場合（例えば、食事をしながらカラオケをしたい場合）とか、用途以外のニーズがあった場合（例えば、古風な旅館を希望する場合）では、ユーザの様々なニーズが反映される施設の検索ができないという課題があった。
【特許文献１】特開平０９−０９７００７号公報
【特許文献２】特開平１０−２８１７９７号公報
【発明の開示】
【課題を解決するための手段及びその効果】
【００１０】
本発明は上記課題に鑑みなされたものであって、施設に関する複数の情報を検索条件とすることにより、ユーザの様々なニーズが反映され、しかも手間を取らせることなく施設の検索ができる情報端末装置を提供することを目的としている。
【００１１】
上記目的を達成するために本発明に係る情報端末装置（１）は、地図情報及び施設情報をディスプレイ上に表示し、経路誘導を行うナビゲーション機能を有する情報端末装置において、予め設定された施設に関する複数の情報を表す複数の検索条件の中からユーザ所望の検索条件を指定させるための検索パラメータ入力手段と、前記複数の検索条件の内少なくとも１つの条件と対応している索引データが付加された施設情報データを記憶している施設情報記憶手段と、前記検索パラメータ入力手段を介して指定された検索条件に従って、施設を検索する施設情報検索手段と、該施設情報検索手段の検索結果をディスプレイ上に表示させる施設情報出力手段とを備えていることを特徴としている。
【００１２】
上記情報端末装置（１）によれば、予め設定された施設に関する複数の情報を表す複数の検索条件の中からユーザ所望の検索条件を指定させるための検索パラメータ入力手段と、前記複数の検索条件の内少なくとも１つの条件と対応している索引データが付加された施設情報データを記憶している施設情報記憶手段と、前記検索パラメータ入力手段を介して指定された検索条件に従って、施設を検索する施設情報検索手段と、該施設情報検索手段の検索結果をディスプレイ上に表示させる施設情報出力手段とが設けられているため、施設に関する複数の情報を検索条件として検索を行うことにより、ユーザ所望の条件により近い施設を容易に割り出すことができる。
【００１３】
また、本発明に係る情報端末装置（２）は、上記情報端末装置（１）において、前記検索条件の中に、施設の種類名と各種類における施設グループ名が含まれている他に、種類別に設定された使用目的、施設のサービス内容及び施設の設備特徴をそれぞれ表す複数のキーワードが含まれていることを特徴としている。
【００１４】
上記情報端末装置（２）によれば、前記検索条件の中に、施設の種類名と各種類における施設グループ名が含まれている他に、種類別に設定された使用目的、施設のサービス内容及び施設の設備特徴をそれぞれ表す複数のキーワードが含まれているため、ユーザが施設の種類とグループを指定することができるだけではなく、施設の使用目的、施設のサービス内容及び施設の設備特徴も前記キーワードで指定することができるため、施設に対する様々なニーズを検索条件に反映させることができる。
【００１５】
また、本発明に係る情報端末装置（３）は、上記情報端末装置（１）又は（２）において、前記施設情報記憶手段に、施設の所在地を含む施設の詳細情報を表すデータに前記索引データが付加された施設情報データが記憶されていることを特徴としている。
上記情報端末装置（３）によれば、前記施設情報記憶手段に、施設の所在地を含む施設の詳細情報を表すデータに前記索引データが付加された施設情報データが記憶されているため、前記施設情報記憶手段に記憶されている施設情報データから、指定された検索条件と一致した索引データを有する施設情報データを検出し、さらに検出された施設情報データに含まれている詳細情報を出力することができる。
【００１６】
また、本発明に係る情報端末装置（４）は、上記情報端末装置（１）〜（３）のいずれかにおいて、前記検索パラメータ入力手段が、予め用意された選択項目を指定させることにより、前記検索条件を入力させるものであることを特徴としている。
上記情報端末装置（４）によれば、予め用意された選択項目を指定することにより、前記検索条件を入力することが可能なので、ユーザに手間を取らせることなく検索条件を容易に入力することができる。
【００１７】
また、本発明に係る情報端末装置（５）は、上記情報端末装置（４）において、前記検索パラメータ入力手段が、エリア条件を入力させるものであることを特徴としている。
上記情報端末装置（５）によれば、エリア条件を入力することが可能なので、同一画面で全ての検索条件を入力することができるため、検索の効率と使用の利便性を向上させることができる。
【００１８】
また、本発明に係る情報端末装置（６）は、上記情報端末装置（４）又は（５）において、前記検索パラメータ入力手段を介して、前記使用目的と、前記施設のサービス内容と、前記施設の設備特徴との「ＡＮＤ」検索方式、及び「ＯＲ」検索方式が指定可能であることを特徴としている。
上記情報端末装置（６）によれば、前記検索パラメータ入力手段を介して、前記使用目的と、前記施設のサービス内容と、前記施設の設備特徴との「ＡＮＤ」検索方式、及び「ＯＲ」検索方式が指定可能であるため、ユーザのニーズに応じて異なる検索方式で検索を行うことができる。
【００１９】
また、本発明に係る情報端末装置（７）は、上記情報端末装置（６）において、前記施設情報検索手段が、指定された「ＡＮＤ」検索方式又は「ＯＲ」検索方式に基づいて、指定された検索条件と一致する索引データを有する施設情報データを検出し、さらに、検出された該施設情報データの中から、指定されたエリア条件を満たす施設情報データを検出するように検索を行うものであることを特徴としている。
【００２０】
上記情報端末装置（７）によれば、前記施設情報検索手段が、指定された「ＡＮＤ」検索方式又は「ＯＲ」検索方式に基づいて、指定された検索条件と一致する索引データを有する施設情報データを検出し、さらに、検出された該施設情報データの中から、指定されたエリア条件を満たす施設情報データを検出するように検索を行うため、指定された検索条件を満たした施設情報データのみに対してその元データに含まれているエリア情報が調べられるので、検索の効率を向上させることができる。
【００２１】
また、本発明に係る情報端末装置（８）は、上記情報端末装置（１）〜（７）のいずれかにおいて、前記検索結果から施設名を選択すると該施設に関する詳細情報が表示されることを特徴としている。
上記情報端末装置（８）によれば、前記検索結果から施設名を選択すると該施設に関する詳細情報が表示されるため、ユーザは検索結果の中から選択した施設の詳細情報を見ることができる。
【００２２】
また、本発明に係る情報端末装置（９）は、上記情報端末装置（８）において、前記「ＡＮＤ」検索方式又は前記「ＯＲ」検索方式による検索結果から前記エリア条件を満たす施設情報データが検出されなかった場合、前記エリア条件を満たす施設情報データが検出されなかったことを知らせる通知が出力されるとともに、前記検索結果の中に前記エリアに一番近い所在地の施設が出力されることを特徴としている。
【００２３】
上記情報端末装置（９）によれば、前記「ＡＮＤ」検索方式又は前記「ＯＲ」検索方式による検索結果から前記エリア条件を満たす施設情報データが検出されなかった場合、前記エリア条件を満たす施設情報データが検出されなかったことを知らせる通知が出力されるとともに、前記検索結果の中に前記エリアに一番近い所在地の施設が出力されるため、指定された検索条件とエリア条件を完全に満たす施設が見つからなかった場合でも、指定されたエリアに一番近い所在地の施設が表示されるため、ユーザに参考となる情報を提供することができる。
【００２４】
また、本発明に係る情報端末装置（１０）は、上記情報端末装置（８）又は（９）において、前記「ＡＮＤ」検索方式により、指定された条件を満たす施設情報データが検出されなかった場合、指定された条件を満たす施設情報データが検出されなかったことを知らせる通知が出力されるとともに、指定された使用目的、指定された施設のサービス内容、及び指定された施設の設備特徴に対して、別々に検索を行った結果が出力されることを特徴としている。
【００２５】
上記情報端末装置（１０）によれば、前記「ＡＮＤ」検索方式により、指定された条件を満たす施設情報データが検出されなかった場合、指定された条件を満たす施設情報データが検出されなかったことを知らせる通知が出力されるとともに、指定された使用目的、指定された施設のサービス内容、及び指定された施設の設備特徴に対して、別々に検索を行った結果が出力されるため、指定された検索条件を完全に満たす施設が検出されなかった場合でも、前記使用目的に関する検索条件のみを満たした施設、前記施設のサービス内容に関する検索条件のみを満たした施設、及び前記施設の設備特徴に関する検索条件のみを満たした施設がそれぞれ表示されるため、ユーザに参考となる情報を提供することができる。
【００２６】
また、本発明に係る情報端末装置（１１）は、上記情報端末装置（８）〜（１０）のいずれかにおいて、前記検索結果から選択された施設の所在地を経路案内の目的地に設定することが可能であることを特徴としている。
上記情報端末装置（１１）によれば、前記検索結果から選択された施設の所在地を経路案内の目的地に設定することが可能なため、ユーザは検索された施設へ移動するための経路情報を速やかに得ることができる。
【００２７】
また、本発明に係る情報端末装置（１２）は、上記情報端末装置（８）〜（１１）のいずれかにおいて、前記検索結果から選択された施設をメモリすることが可能であることを特徴としている。
上記情報端末装置（１２）によれば、前記検索結果から選択された施設をメモリすることが可能なため、ユーザは使用機会が多くなる可能性のある施設を保存しておけば、いつでも簡単に利用できることとなる。
【００２８】
また、本発明に係る情報端末装置（１３）は、上記情報端末装置（１）〜（１２）のいずれかにおいて、前記検索パラメータ入力手段を介して、前記種類名、前記グループ名、前記使用目的、前記施設のサービス内容及び前記施設の設備特徴に該当するものをそれぞれ指定することにより、既知施設を登録し、前記施設情報記憶手段に記憶させることが可能であることを特徴としている。
上記情報端末装置（１３）によれば、前記検索パラメータ入力手段を介して、前記種類名、前記グループ名、前記使用目的、前記施設のサービス内容及び前記施設の設備特徴に該当するものをそれぞれ指定することにより、既知施設を登録し、前記施設情報記憶手段に記憶させることが可能であるため、ユーザは施設検索用の入力画面から、各自で獲得した既知施設情報を簡単な操作で登録することができる。
【発明を実施するための最良の形態】
【００２９】
図１は、本発明の実施の形態に係る情報端末装置の要部を概略的に示したブロック図である。図中１０は情報端末装置を示しており、情報端末装置１０は、ＧＰＳ受信機１１、車速センサ１２、ジャイロセンサ１３、送受信手段１４、記憶装置１５、操作＆表示手段１６、音声合成手段１７、画像合成手段１８、及びマイクロコンピュータ（マイコン）１９を含んで構成されている。
【００３０】
ＧＰＳ受信機１１はＧＰＳ衛星からの信号を受信して車両の位置を計算し、車速センサ１２は車輪の回転速度を検出し、ジャイロセンサ１３は車両の方向を検出することができるようになっている。
送受信手段１４は、車内通信ネットワークまたはアンテナを介して外部からデータを受信し、また外部へデータを送信するようになっている。
【００３１】
記憶装置１５は、ハードディスク（ＨＤ）、ＣＤまたはＤＶＤに記憶されているデータの読み取りと書き込みが可能な再生装置と、施設情報データベース（即ち、整理されたデータの集まり）ＤＢ１及び地図情報データベースＤＢ２などが格納されているＨＤ、ＣＤまたはＤＶＤを含んで構成されている。
操作＆表示手段１６は、液晶ディスプレイ１６ａ、操作ボタン１６ｂ、タッチパネル１６ｃ及びリモコン１６ｄを含んで構成されており、地図情報、経路誘導情報及び施設情報が表示されると共に、操作指令及び検索条件などが入力される操作画面などが表示されようになっている。  
【００３２】
音声合成手段１７からは、音声案内が出力されるようになっている。
画像合成手段１８は、地図情報及び施設情報などのデータに基づいて、ディスプレイ１６ａ上に表示される様々な画面が合成されるようになっている。
マイコン１９は、データを一時的に記憶するＲＡＭ１９ａ、施設情報検索プログラムを含んだナビゲーションの各機能を実現させる処理プログラムを記憶するＲＯＭ１９ｂ、及び処理プログラムを実行させるＣＰＵ１９ｃを含んで構成されており、バスラインＢＬを介して、ＧＰＳ受信機１１、車速センサ１２、ジャイロセンサ１３、送受信手段１４、記憶装置１５、操作＆表示手段１６、画像合成手段１７、音声合成手段１８に接続されている。
【００３３】
ＣＰＵ１９ｃは、ＧＰＳ受信機１１、車速センサ１２及びジャイロセンサ１３からの測定信号及び地図情報データベースＤＢ２に基づいて、現在位置を特定するとともに、経路探索を行い、操作ボタン１６ｂ、タッチパネル１６ｃ、又はリモコン１６ｄを介して入力された指令に従って、地図情報、経路情報をディスプレイ１６ａ上に表示させ、また、操作ボタン１６ｂ、タッチパネル１６ｃ、又はリモコン１６ｄを介して入力された施設の検索条件に従って、施設情報データベースＤＢ１から検索条件を満たす施設を検出し、施設情報をディスプレイ１６ａ上に表示させ、さらに、操作ボタン１６ｂ、タッチパネル１６ｃ、又はリモコン１６ｄを介して登録された施設情報を施設情報データベースＤＢ１に加えるようになっている。
【００３４】
次に、本発明の実施の形態に係る情報端末装置における施設情報の検索及び登録時の操作画面の動きを図２ａ〜ｏに基づいて説明する。図２ａは検索画面の初期画面を示しており、選択項目として「施設種類」、「使用目的」、「サービス」、「設備特徴」、「検索エリア」が設けられており、また、検索方式を選択するためのボタン「ＯＲ検索」と「ＡＮＤ検索」、施設情報を登録するためのボタン「施設登録」が設けられている。
【００３５】
図２ｂは「施設種類」が選択された時に表示される画面を示している。図２ｂに示したように、「施設種類」には、「お気に入り」、「飲食店」、「宿泊施設」、「ショッピング施設」、「スポーツ施設」などの選択項目が設けられている。「お気に入り」は、利用者により登録された施設（例えば、使用頻度の高い施設）が収納されており、「お気に入り」の項目が選択されると登録された施設のリストが表示されるようになっている。
「飲食店」は、飲食に関連する施設が収納されており、風味とスタイルによってさらに、「和風」、「中華」、「フレンチ」「イタリア」、「喫茶」、「居酒屋」などの施設グループに分類されており、「飲食店」の項目が選択されるとこれらの施設グループが画面上に表示されるようになっている（図２ｃ）。
【００３６】
「宿泊施設」には、宿泊に関連する施設が収納されており、施設のスタイルによってさらに異なる施設グループに分類されている。「宿泊施設」の項目が選択されると前記宿泊施設の施設グループ（例えば、ビジネスホテル、観光ホテル、旅館など）が画面上に表示されるようになっている（図示せず）。「ショッピング施設」には、ショッピングに関連する施設が収納されており、施設のスタイルによってさらに異なる施設グループ（例えば、百貨店、スーパーマーケット、ショッピングモールなど）に分類されている。「ショッピング施設」の項目が選択されると該施設グループが画面上に表示されるようになっている（図示せず）。「スポーツ施設」には、スポーツに関連する施設が収納されており、スポーツの内容によってさらに異なる施設グループ（例えば、ゴルフ場、スキー場、スポーツジムなど）に分類されている。「スポーツ施設」の項目が選択されると、これら施設グループが画面上に表示されるようになっている（図示せず）。
【００３７】
「施設種類」から「お気に入り」以外のいずれかの項目が選択されると、「使用目的」の項目が選択可能になる。「使用目的」には、「お気に入り」を除く、前記施設種類別に、ユーザの使用目的を表す複数のキーワードがそれぞれ設けられており、例えば、「飲食店」における「使用目的」には、「食事」、「カラオケ」、「宴会」、「ダンス」などのキーワードが設けられており、「飲食店」を選択してから「使用目的」を選択すると、これらのキーワードが表示される（図２ｄ）。また、「宿泊施設」における「使用目的」には、「宿泊」、「食事」、「温泉利用」、「プール利用」などのキーワードが設けられており、「宿泊施設」を選択してから「使用目的」を選択すると、これらのキーワードが表示される（図２ｆ）。
【００３８】
また、「施設種類」から「お気に入り」以外のいずれかの項目を選択すると、「サービス」の項目が選択可能になる。「サービス」には、「お気に入り」を除く、前記各施設種類別に、施設のサービスの特徴を表す複数のキーワードがそれぞれ設けられており、例えば、「飲食店」における「サービス」には、「日替わりメニュー」、「特別注文メニュー」、「時間帯割引」、「音楽伴奏」などのキーワードが設けられており、「飲食店」を選択してから「サービス」を選択するとこれらのキーワードが表示される（図２ｅ）。また、「宿泊施設」における「サービス」には、「長期利用プラン」、「シルバー割引」、「託児サービス」、及び「団体割引」などが設けられており、「宿泊施設」を選択してから「サービス」を選択するとこれらのキーワードが表示される（図２ｇ）。
【００３９】
また、「施設種類」から「お気に入り」以外のいずれかの項目が選択されると、「設備特徴」の項目が選択可能になる。「設備特徴」には、「お気に入り」を除く、前記各施設種類別に、施設の設備特徴を表す複数のキーワードがそれぞれ設けられており、例えば、「飲食店」における「設備特徴」には、「眺めが良い」、「宴会席あり」、「個室あり」及び「駐車場あり」などのキーワードが設けられており、「飲食店」を選択してから「設備特徴」を選択するとこれらのキーワードが表示される（図２ｅ）。また、「宿泊施設」における「設備特徴」には、「海に近い」、「スキー場に近い」、「プール付」及び「ボーリング場付」などのキーワードが設けられており、「宿泊施設」を選択してから「設備特徴」を選択するとこれらのキーワードが表示される（図２ｈ）。
【００４０】
また、「施設種類」から「お気に入り」以外のいずれかの項目が選択されると、「検索エリア」の項目が選択可能になる。「検索エリア」には、「お気に入り」に収納されている施設を除く、検索したい施設の存在エリアを指定するための選択項目（「自宅周辺」、「目的地周辺」、「ルート周辺」、「区域選択」）、及び「自宅周辺」、「目的地周辺」、「ルート周辺」のいずれかが指定された場合、検索の範囲を決める検索距離を入力するための入力欄が設けられている。「検索エリア」の項目が選択されると前記選択項目と、検索距離入力欄が表示される（図２ｉ）。なお、「自宅周辺」が指定された場合、予め設定された自宅の所在地を中心とし、入力された前記検索距離を半径とするエリア内に存在する施設が検索の対象となり、「目的地周辺」が指定された場合、予め設定された目的地の所在地を中心とし、入力された前記検索距離を半径とするエリア内に存在する施設が検索の対象となり、「ルート周辺」が指定された場合、予め設定された出発地から目的地までの経路から入力された前記検索距離内のエリア内に存在する施設が検索の対象となる。「区域選択」が指定されると、日本全国→道／府／都／県→市→町の順でエリアの指定が行われるようになっている。
【００４１】
図２ｂは「施設種類」から「飲食店」が指定されている検索画面を示し、図２ｃは「飲食店」が指定された後、「飲食店」における施設グループが表示され、その中から「和風レストラン」が指定されている検索画面を示し、図２ｄは更に「使用目的」から「食事」が指定されている検索画面を示し、図２ｅは更に「サービス」から「日替わりメニュー」が指定され、「設備特徴」から「眺めが良い」が指定されている検索画面を示している。また、図２ｆは「施設種類」から「宿泊施設」が指定された後、「宿泊施設」における施設グループが表示され、その中から「旅館」が指定され、さらに「使用目的」から「宿泊」、「食事」及び「温泉利用」が指定されている検索画面を示し、図２ｇは更に「サービス」から「長期利用プラン」が指定されている検索画面を示し、図２ｈは更に「設備特徴」から「海に近い」が指定されている検索画面を示し、図２ｉは「検索エリア」から「自宅周辺」が指定され、検索距離に５ｋｍが入力されている検索画面を示している。
【００４２】
図２ｊは、検索条件の入力が完了してから、「ＡＮＤ検索」ボタンが選択された場合、入力された検索内容の確認が表示されている検索画面を示している。即ち、上記したように入力された「宿泊」、「食事」、「温泉利用」、「海に近い」、「長期利用プラン」の条件をすべて満たし、しかも「自宅周辺」に存在する「旅館」を検索することを、「検索実行」又は「戻る」の選択ボタンを選択させることにより確認させる。「検索実行」が選択された場合、検索が実行され、「戻る」が選択された場合、検索が実行されず、検索条件の修正が行われるようになっている。
【００４３】
図２ｋは、検索条件の入力が完了してから、「ＯＲ検索」ボタンが選択された時に、入力された検索内容の確認が表示されている検索画面を示している。即ち、上記したように入力された「宿泊」と「食事」と「温泉利用」の使用目的、または「長期利用プラン」のサービス条件、または「海に近い」の設備特徴条件を満たし、しかも「自宅周辺」に存在する「旅館」を検索することを、「検索実行」又は「戻る」の選択ボタンを選択させることにより確認させる。「検索実行」が選択された場合、検索が実行され、「戻る」が選択された場合、検索が実行されず、検索条件の修正が行われるようになっている。
【００４４】
図２ｌは、検索が実行されて上記検索条件（例えば、図２ｊ）を満たす施設が検出された場合の検索結果の表示画面を示した図である。図２ｌに示したように、検出された施設の件数（２件）と検出された施設の名称（「リラックス温泉」と「湖西泉荘」）が表示されており、これらの施設の名称が選択されると施設に関する詳細な情報が表示されるようになっている。
【００４５】
また、図２ｍは、検索が実行されて、検索エリア内に上記検索条件（図２ｊ）を満たす施設が検出されなかった場合の検索結果の表示画面を示した図である。図２ｍに示したように、「検索エリア内に施設が検出されませんでした」のメッセージが表示されており、参考情報として「検索エリアに一番近い施設」である「山水温泉」が表示され、これが選択されると詳細な情報が表示されるようになっている。
【００４６】
また、図２ｎは、検索が実行されて、上記検索条件（図２ｊ）を満たす施設が検出されなかった場合の検索結果の表示画面を示した図である。図２ｎに示したように、「検索条件を満たす施設が検出されませんでした」のメッセージが表示されており、さらに、参考情報として「使用目的を満たす施設」、「サービス条件を満たす施設」、「設備特徴条件を満たす施設」の選択リストが表示されており、前記リストからいずれかが選択されると、さらに該当する施設のリストが表示されるようになっている。
【００４７】
なお、上記した検索結果の表示画面（図（ｌ）〜（ｎ））には、さらに、「目的地とする」、「メモリ地点とする」及び「戻る」の選択ボタンが設けられている。前記表示画面に表示されている施設のいずれかの名称が選択されている状態で、「目的地とする」ボタンが選択されると、選択された施設への経路誘導情報が地図が表示されている画面に表示されるようになり、「メモリ地点とする」ボタンが選択されると、選択された施設が「お気に入り」に登録されるようになり、また、「戻る」ボタンが選択されると、最初の検索画面（図２a）に戻るようになっている。
【００４８】
一方、利用者は施設情報を検索するのではなく、既知の施設情報を施設情報データベースＤＢ１に登録したい場合、既知施設の種類、属するグループ、応じられる「使用目的」、提供可能な「サービス」条件及び「設備特徴」条件を図２ｆ〜ｉに示したように、それぞれ入力してから、「施設登録」ボタンを選択すれば、図２ｏに示すように登録される施設の名称、住所、電話番号などの詳細情報を入力できる入力欄が表示され、これらの項目を入力し、「登録」を選択すると、入力された施設情報が登録され、他方、「戻る」が選択されると、登録されずに前記入力欄が閉じられるようになっている。
【００４９】
次に、施設情報データについて説明する。図３ａは施設情報データベースＤＢ１の構成を示す表である。図３ａに示したように、データベースＤＢ１は、施設の種類によって分類されたお気入り情報データベースＤＢ１１（０番）、飲食店情報データベースＤＢ１２（１番）、宿泊施設情報データベースＤＢ１３（２番）、ショッピング施設情報データベースＤＢ１４（３番）、及びスポーツ施設情報データベースＤＢ１５（４番）などを含んで構成されている。データベースＤＢ１１、ＤＢ１２、ＤＢ１３、ＤＢ１４、ＤＢ１５などは、さらにそれぞれの施設グループのデータベースより構成されている。例えば、図３ｂに示したように、データベースＤＢ１２がさらに、和風のデータベースＤＢ１２１（１番）、中華のデータベースＤＢ１２２（２番）、フレンチのデータベースＤＢ１２３（３番）などを含んで構成されている。
【００５０】
図３ｃは前記各データベース中の施設情報データの構成を示す表である。図３ｃに示したように、該施設情報データは、データ本体ｄと索引データ（ｓ１〜ｓ５）から構成されている。データ本体ｄには、施設の名称、所在地を含んだ詳細情報が記録されている。索引データｓ１には、当該データが属する施設種類番号が記録されている（例えば、ｓ１＝１の場合、当該データが飲食店情報データベースＤＢ１２に収納されていることを示し、ｓ１＝２の場合、当該データが宿泊施設情報データベースＤＢ１３に収納されていることを示す）。索引データｓ２には、当該データが属する施設グループ番号が記録されている（例えば、ｓ２＝１の場合、当該データが和風のデータベースＤＢ１２１に収納されていることを示し、ｓ２＝２の場合、当該データが中華のデータベースＤＢ１２２に収納されていることを示す）。索引データｓ３（ｓ３＝[ｋ１  ｋ２  ｋ３  …]）が整数行列であり、行列の構成要素ｋ１、ｋ２、ｋ３などが「使用目的」におけるキーワード番号（例えば、飲食店の場合、１：「食事」、２：「カラオケ」、３：「宴会」、…）が記録されている（例えば、ｓ１＝１、ｓ３＝[１  ２]の場合、当該データに記録された施設が「食事」と「カラオケ」の使用目的に応じられることを表す）。索引データｓ４（ｓ４＝[ｋ１  ｋ２  ｋ３  …]）が整数行列であり、行列の構成要素ｋ１、ｋ２、ｋ３などが「サービス」におけるキーワード番号（例えば、飲食店の場合、１：「日替わりメニュー」、２：「特別注文メニュー」、３：「時間帯割引」、…）が記録されている（例えば、ｓ１＝１、ｓ４＝[１  ３]の場合、当該データに記録された施設が「日替わりメニュー」と「時間帯割引」のサービスが提供されることを表す）。索引データｓ５（ｓ５＝[ｋ１  ｋ２  ｋ３  …]）が整数行列であり、行列の構成要素ｋ１、ｋ２、ｋ３などが「設備特徴」におけるキーワード番号（例えば、飲食店の場合、１：「眺めが良い」、２：「宴会席あり」、３：「個室あり」、…）が記録されている（例えば、ｓ１＝１、ｓ５＝[２]の場合、当該データに記録された施設が「宴会席あり」という設備特徴を有することを表す）。
【００５１】
図３ｄは、「旭レストラン」という飲食店の情報を記録したデータ例を示す表である。図３ｄに示したように、データ本体ｄには、旭レストランの名称、住所、電話番号及び営業時間が記録されており、各索引データの値によれば、旭レストランが飲食店（ｓ１＝１）における「和風レストラン」（ｓ２＝１）であり、「食事」と「カラオケ」（ｓ３＝[１  ２]）の使用目的に応じられ、「日替わりメニュー」と「特別注文メニュー」（ｓ４＝[１  ２]）などのサービスが提供され、「眺めが良い」と「個室あり」（（ｓ５＝[１  ３]）という設備特徴を有する。
【００５２】
また、図３ｅは、「温泉荘」という旅館の情報を記録したデータ例を示している。図３ｅに示したように、データ本体ｄには、温泉荘の名称、住所、電話番号及びホームページのアドレスが記録されており、各索引データの値によれば、温泉荘は宿泊施設（ｓ１＝２）における「旅館」（ｓ２＝３）であり、「宿泊」、「食事」及び「温泉利用」（ｓ３＝［１  ２  ３］）の使用目的に応じられ、「長期利用プラン」（ｓ４＝[１]）のサービスが提供され、「海に近い」（ｓ５＝[１]）という設備特徴を有する。
【００５３】
図４は、本発明の実施の形態に係る情報端末装置に採用されている検索パラメータを示す表である。検索パラメータは図２に示した各検索画面から入力された検索条件を記録したデータである。図４に示したように、Ｊは「施設の種類」から指定された施設の種類と対応しているデータベースの施設種類番号を記録する検索パラメータである（例えば、「お気に入り」が指定された場合、J＝０、「飲食店」が指定された場合、J＝１、「宿泊施設」が指定された場合、J＝２、「ショッピング施設」が指定された場合、J＝３、「スポーツ施設」が指定された場合、J＝４）。Ｇ（＝［ｍ１  ｍ２  ｍ３  …］）は施設グループから指定された１つまたは１つ以上の施設グループと対応しているデータベースの施設グループ番号を記録する検索パラメータ行列であり、行列の構成要素（ｍ１、ｍ２、ｍ３など）が指定された施設グループ番号をそれぞれ記録している（例えば、「飲食店」における「和風レストラン」と「中華レストラン」が指定された場合、Ｇ＝「１  ２」、「宿泊施設」における「ビジネスホテル」が指定された場合、Ｇ＝［１］、指定のない場合、Ｇ＝［０］）。ＫＵ（＝［ｍ１  ｍ２  ｍ３  …］）は「使用目的」から指定された１つまたは１つ以上のキーワードの番号を表す検索パラメータ行列であり、行列の構成要素（ｍ１、ｍ２、ｍ３など）が指定されたキーワードの番号をそれぞれ記録している（例えば、「飲食店」における「食事」と「カラオケ」が指定された場合、ＫＵ＝［１  ２］、「宿泊施設」における「宿泊」と［食事］が指定された場合、ＫＵ＝［１  ２］、指定のない場合、ＫＵ＝［０］）。ＫＶ（＝［ｍ１  ｍ２  ｍ３  …］）は「サービス」から指定された１つまたは１つ以上のキーワードの番号を記録する検索パラメータ行列であり、行列の構成要素（ｍ１、ｍ２、ｍ３など）が指定されたキーワードの番号をそれぞれ記録している（例えば、「飲食店」における「時間帯割引」が指定された場合、ＫＶ＝［３］、「宿泊施設」における「シルバー割引」と［託児サービス］が指定された場合、ＫＶ＝［２  ３］、指定のない場合、ＫＶ＝［０］）。ＫＷ（＝［ｍ１  ｍ２  ｍ３  …］）は「設備特徴」から指定された１つまたは１つ以上のキーワードの番号を表す検索パラメータ行列であり、行列の構成要素（ｍ１、ｍ２、ｍ３など）が指定されたキーワードの番号をそれぞれ記録している（例えば、「飲食店」における「眺めが良い」と「宴会席あり」が指定された場合、ＫＷ＝［１  ２］、「宿泊施設」における「海に近い」が指定された場合、ＫＷ＝［１］、指定のない場合、ＫＷ＝［０］）。
【００５４】
Ｒは「検索エリア」を表す検索パラメータであり、Ｒ＝１が「自宅周辺」を表し、Ｒ＝２が「目的地周辺」を表し、Ｒ＝３が「ルート周辺」を表し、Ｒ＝４が「区域選択」を表す。また、入力される検索距離の値がＤの値となる。
【００５５】
次に、本発明の実施の形態に係る情報端末装置１０におけるＣＰＵ１９ｃが行う一部の処理動作を図５ａ、図５ｂに示したフローチャートに基づいて説明する。図５ａに示したように、まず、各検索パラメータをクリアする（J＝０、Ｇ＝［０］、ＫＵ＝［０］、ＫＶ＝［０］、ＫＷ＝[０]、Ｒ＝０  Ｄ＝１０ｋｍ）などの初期化処理を行い、検索画面を表示し（ステップＳ１）、その後ステップＳ２に進む。ステップＳ２では、「お気に入り」が選択されたか否かを判断し、「お気に入り」が選択されたと判断した場合、データベースＤＢ１１に格納されている施設情報を表示し（ステップＳ３）、その後処理Ｆ（図９）に進み、他方、「お気に入り」が選択されていないと判断した場合、ステップＳ４に進む。ステップＳ４では、「施設の種類」から指定された施設の種類（「飲食店」、「宿泊施設」、「ショッピング施設」などの内の１つ）の施設種類番号を検索パラメータＪの値とし、その後ステップＳ５に進む。ステップＳ５では、指定された前記施設の種類における施設グループのリストを表示し、その後ステップＳ６に進む。ステップＳ６では、指定された前記施設の種類における「使用目的」、「サービス」及び「設備特徴」のそれぞれに設けられたキーワードを選択可能にし、その後ステップＳ７に進む。ステップＳ７では、「検索エリア」と「検索距離」を選択可能にし、その後ステップＳ８に進む。ステップＳ８では、施設グループが指定されたか否かを判断し、施設グループが指定されていないと判断した場合、ステップＳ９を飛ばしてステップＳ１０に進み、他方、施設グループが指定されたと判断した場合、ステップＳ９に進む。ステップＳ９では、指定された各施設グループが格納されているデータベースの番号をそれぞれ検索パラメータＧの構成要素の値とし、その後ステップＳ１０に進む。ステップＳ１０では、「使用目的」におけるキーワードが指定されたか否かを判断し、前記キーワードが指定されていないと判断した場合、ステップＳ１１を飛ばしてステップＳ１２に進み、他方、前記キーワードが指定されたと判断した場合、ステップＳ１１に進む。ステップＳ１１では、指定された各キーワードの番号をそれぞれ検索パラメータＫＵの構成要素の値とし、その後ステップＳ１２に進む。ステップＳ１２では、「サービス」におけるキーワードが指定されたか否かを判断し、前記キーワードが指定されていないと判断した場合、ステップＳ１３を飛ばしてステップＳ１４に進み、他方、前記キーワードが指定されたと判断した場合、ステップＳ１３に進む。ステップＳ１３では、指定された各キーワードの番号をそれぞれ行列ＫＶの構成要素の値とし、その後ステップＳ１４に進む。図５ｂに示したように、ステップＳ１４では、「設備特徴」におけるキーワードが指定されたか否かを判断し、前記キーワードが指定されていないと判断した場合、ステップＳ１５を飛ばしてステップＳ１６に進み、他方、前記キーワードが指定されたと判断した場合、ステップＳ１５に進む。ステップＳ１５では、指定された各キーワードの番号をそれぞれ行列ＫＷの構成要素の値とし、その後ステップＳ１６に進む。ステップＳ１６では、「検索エリア」が指定されたか否かを判断し、検索エリアが指定���れていないと判断した場合、ステップＳ１７を飛ばしてステップＳ１８に進み、他方、検索エリアが指定されたと判断した場合、ステップＳ１７に進む。ステップＳ１７では、指定された検索エリア番号をＲの値とし、その後ステップＳ１８に進む。ステップＳ１８では、「検索距離」が入力されたか否かを判断し、検索距離が入力されていないと判断した場合、ステップＳ２０に進み、他方、検索距離が入力されたと判断した場合、ステップＳ１９に進む。ステップＳ１９では、入力された検索距離をＤの値とし、その後ステップＳ２０に進む。ステップＳ２０では、「施設登録」が選択されたか否かを判断し、「施設登録」が選択されたと判断した場合、処理Ｒ（図１０）に進み、他方、「施設登録」が選択されていないと判断した場合、テップＳ２１に進む。ステップＳ２１では、指定されたすべての検索条件を確認させる画面（図２ｊ）を表示し、その後ステップＳ２２に進む。ステップＳ２２では、「検索実行」が指定されたか否かを判断し、「検索実行」が指定されたと判断した場合、処理Ａ（図６）に進み、他方、「検索実行」が指定されていないと判断した場合、ステップＳ２３に進む。ステップＳ２３では、「戻る」が指定されたか否かを判断し、「戻る」が指定されたと判断した場合、ステップＳ８（図５ａ）に戻り、他方、「戻る」が指定されていないと判断した場合、ステップＳ２２に戻る。
【００５６】
引き続き、ＣＰＵ１９ｃが行う一部の処理動作（Ａ）を図６に示したフローチャートに基づいて説明する。まず、ステップＳ３０では、施設情報データベースＤＢ１の中から、施設種類番号が検索パラメータＪの値と同じデータベース（ＤＢ１１、ＤＢ１２、ＤＢ１３、…の内のいずれか）を検出してデータベースｄｋとし、その後ステップＳ３１に進む。ステップＳ３１では、検索パラメータＧの値が０ではないか否かを判断し、検索パラメータＧの値が０ではない（即ち、施設グループが指定された）と判断した場合、ステップＳ３３に進み、他方、検索パラメータＧの値が０である（即ち、施設グループが指定されていない）と判断した場合、データベースｄｋをデータベースｄｇとし（ステップＳ３２）、その後ステップＳ３３に進む。ステップＳ３３では、データベースｄｋの中から、施設グループ番号が検索パラメータＧ中の構成要素と同じデータベースをそれぞれ検出しデータベースｄｇとし、その後ステップＳ３４に進む。ステップＳ３４では、「ＡＮＤ検索」が指定されたか否かを判断し、「ＡＮＤ検索」が指定されていないと判断した場合、処理Ｂ（図７）に進む、他方、「ＡＮＤ検索」が指定されたと判断した場合、ステップＳ３５に進む。ステップＳ３５では、検索パラメータＫＵの値が０ではないか否かを判断し、検索パラメータＫＵの値が０である（即ち、「使用目的」におけるキーワードが指定されていない）と判断した場合、ステップＳ３６を飛ばしてステップＳ３７に進み、他方、検索パラメータＫＵの値が０ではない（即ち、「使用目的」におけるキーワードが指定された）と判断した場合、ステップＳ３６に進む。ステップＳ３６では、データベースｄｇの中から、索引データｓ３の値が検索パラメータＫＵの値と同じデータ（ｄｇ１）が検出されたか否かを判断し、該データ（ｄｇ１）が検出されていないと判断した場合、処理Ｃ（図８）に進み、他方、該データ（ｄｇ１）が検出されたと判断した場合、ステップＳ３７に進む。ステップＳ３７では、行列ＫＶの値が０でないか否かを判断し、行列ＫＶの値が０である（即ち、「サービス」におけるキーワードが指定されていない）と判断した場合、ステップＳ３８を飛ばしてステップＳ３９に進み、他方、ＫＶの値が０ではない（即ち、「サービス」におけるキーワードが指定された）と判断した場合、ステップＳ３８に進む。ステップＳ３８では、データｄｇ１の中から、索引データｓ４の値が行列ＫＶの値と同じデータ（ｄｇ２）が検出されたか否かを判断し、該データ（ｄｇ２）が検出されていないと判断した場合、処理Ｃに進み、他方、該データ（ｄｇ２）が検出されたと判断した場合、ステップＳ３９に進む。ステップＳ３９では、行列ＫＷの値が０でないか否かを判断し、ＫＷの値が０である（即ち、「設備特徴」におけるキーワードが指定されていない）と判断した場合、ステップＳ４０を飛ばしてステップＳ４１に進み、他方、ＫＷの値が０ではない（即ち、「設備特徴」におけるキーワードが指定された）と判断した場合、ステップＳ４０に進む。ステップＳ４０では、データｄｇ２の中から、索引データｓ５の値がＫＷの値と同じデータ（ｄｇ３）が検出されたか否かを判断し、該データ（ｄｇ３）が検出されていないと判断した場合、処理Ｃに進み、他方、該データ（ｄｇ３）が検出されたと判断した場合、ステップＳ４１に進む。ステップＳ４１では、データｄｇ３の中から、ＲとＤの値に指定されたエリアに存在する施設のデータ（ｄｒ）が検出されたか否かを判断し、該データ（ｄｒ）が検出されたと判断した場合、検索結果としてデータ（ｄｒ）を画面に表示し（ステップＳ４３）、その後処理Ｆ（図９）に進み、他方、前記データ（ｄｒ）が検出されていないと判断した場合、ステップＳ４２に進む。ステップＳ４２では、ｄｇ３の中に、施設の所在地が指定エリアに一番近い施設のデータを参照情報として画面に表示し、その後処理Ｆに進む。
【００５７】
引き続き、ＣＰＵ１９ｃが行う一部の処理動作（Ｂ）を図７に示したフローチャートに基づいて説明する。まず、ステップＳ５０では、「ＯＲ検索」が指定されたか否かを判断し、「ＯＲ検索」が指定されていないと判断した場合、ステップＳ３４に戻り、他方、「ＯＲ検索」が指定されたと判断した場合、ステップＳ５１に進む。ステップＳ５１では、検索パラメータＫＵの値が０でないか否かを判断し、検索パラメータＫＵの値が０であると判断した場合（即ち、「使用目的」におけるキーワードが指定されていない）、ステップＳ５２とステップＳ５３を飛ばしてステップＳ５４に進み、他方、検索パラメータＫＵの値が０でないと判断した場合（即ち、「使用目的」におけるキーワードが指定された）、ステップＳ５２に進む。ステップＳ５２では、データベースｄｇの中から、索引データｓ３の値が検索パラメータＫＵの値と同じデータ（ｄｇ１）が検出されたか否かを判断し、該データ（ｄｇ１）が検出されていないと判断した場合、ステップＳ５３を飛ばしてステップＳ５４に進み、他方、該データ（ｄｇ１）が検出されたと判断した場合、ステップＳ５３に進む。ステップＳ５３では、データｄｇ１をデータｄｒに加え、その後ステップＳ５４に進む。ステップＳ５４では、行列ＫＶの値が０でないか否かを判断し、行列ＫＶの値が０であると判断した場合（即ち、「サービス」におけるキーワードが指定されていない）、ステップＳ５７へ飛び、他方、行列ＫＶの値が０ではないと判断した場合（即ち、「サービス」におけるキーワードが指定された）、ステップＳ５５に進む。ステップＳ５５では、データベースｄｇの中から、索引データｓ４の値がＫＶの値と同じデータ（ｄｇ２）が検出されたか否かを判断し、該データ（ｄｇ２）が検出されていないと判断した場合、ステップＳ５６を飛ばしてステップＳ５７に進み、他方、該データ（ｄｇ２）が検出されたと判断した場合、ステップＳ５６に進む。ステップＳ５６では、データｄｇ２をデータｄｒに加え、その後ステップＳ５７に進む。ステップＳ５７では、行列ＫＷの値が０ではないか否かを判断し、ＫＷの値が０であると判断した場合（即ち、「設備特徴」におけるキーワードが指定されていない）、ステップＳ６１へ飛び、他方、ＫＷの値が０ではないと判断した場合（即ち、「設備特徴」におけるキーワードが指定された）、ステップＳ５８に進む。ステップＳ５８では、データベースｄｇの中から、索引データｓ５の値がＫＷの値と同じデータ（ｄｇ３）が検出されたか否かを判断し、データｄｇ３が検出されていないと判断した場合、ステップＳ６１へ飛び、他方、データｄｇ３が検出されたと判断した場合、ステップＳ５９に進む。ステップＳ５９では、データｄｇ３をデータｄｒに加え、その後ステップＳ６０に進む。ステップＳ６０では、データｄｒの中から、検索パラメータＲとＤに指定されたエリアに存在する施設のデータ（ｄｒ１）が検出されたか否かを判断し、データｄｒ１が検出されたと判断した場合、ステップＳ６２に進む。ステップＳ６２では、検索結果としてデータｄｒ１を画面に表示し、その後処理Ｆ（図９）進む。他方、ステップＳ６０において、データｄｒ１が検出されていないと判断した場合、データｄｒ中所在地が指定されたエリアに一番近い施設のデータを参照情報として画面に表示し（ステップＳ６３）、その後動作Ｆに進む。一方、ステップＳ６１では、データｄｇ１又はｄｇ２が検出されたか否かを判断し、データｄｇ１又はｄｇ２が検出されたと判断した場合、ステップＳ６０に戻り、他方、データｄｇ１又はｄｇ２が検出されていないと判断した場合、検索結果が検出されていないことを画面に表示し（ステップＳ６４）、その後処理Ｆに進む。
【００５８】
引き続き、ＣＰＵ１９ｃが行う一部の処理動作（Ｃ）を図８に示したフローチャートに基づいて説明する。まず、ステップＳ７０では、検索結果が検出されていないことを画面に表示し、その後ステップＳ７１に進む。ステップＳ７１では、検索パラメータＫＵの値が０でないか否かを判断し、検索パラメータＫＵの値が０であると判断した場合（即ち、「使用目的」におけるキーワードが指定されていない）、ステップＳ７５へ飛び、他方、検索パラメータＫＵの値が０ではないと判断した場合（即ち、「使用目的」におけるキーワードが指定された）、ステップＳ７２に進み、ステップＳ７２では、データベースｄｇの中から、索引データｓ３の値が検索パラメータＫＵの値と同じデータ（ｄｇ１）が検出されたか否かを判断し、データｄｇ１が検出されていないと判断した場合、ステップＳ７５へ飛び、他方、データｄｇ１が検出されたと判断した場合、ステップＳ７３に進む。ステップＳ７３では、データｄｇ１の中から、指定されたエリアに存在する施設のデータｄｇ１１が検出されたか否かを判断し、データｄｇ１１が検出されていないと判断した場合、ステップＳ７４を飛ばしてステップＳ７５に進み、他方、データｄｇ１１が検出されたと判断した場合、ステップＳ７４に進む。ステップＳ７４では、参考結果として「使用目的」の検索条件を満たす施設としてデータｄｇ１１を画面に表示し、その後ステップＳ７５に進む。ステップＳ７５では、検索パラメータＫＶの値が０でないか否かを判断し、検索パラメータＫＶの値が０であると判断した場合（即ち、「サービス」におけるキーワードが指定されていない）、ステップＳ７９へ飛び、他方、検索パラメータＫＶの値が０ではないと判断した場合（即ち、「サービス」におけるキーワードが指定された）、ステップＳ７６に進み、ステップＳ７６では、データベースｄｇの中から、索引データｓ４の値が検索パラメータＫＶの値と同じデータ（ｄｇ２）が検出されたか否かを判断し、データｄｇ２が検出されていないと判断した場合、ステップＳ７９へ飛び、他方、データｄｇ２が検出されたと判断した場合、ステップＳ７７に進む。ステップＳ７７では、データｄｇ２の中から、指定されたエリアに存在する施設のデータｄｇ２１が検出されたか否かを判断し、データｄｇ２１が検出されていないと判断した場合、ステップＳ７８を飛ばしてステップＳ７９に進み、他方、データｄｇ２１が検出されたと判断した場合、ステップＳ７８に進む。ステップＳ７８では、参考結果として「サービス」の検索条件を満たす施設としてデータｄｇ２１を画面に表示し、その後ステップＳ７９に進む。ステップＳ７９では、検索パラメータＫＷの値が０でないか否かを判断し、検索パラメータＫＷの値が０であると判断した場合（即ち、「設備特徴」におけるキーワードが指定されていない）、処理Ｆに進み、他方、検索パラメータＫＷの値が０ではないと判断した場合（即ち、「設備特徴」におけるキーワードが指定された）、ステップＳ８０に進む。ステップＳ８０では、データベースｄｇの中から、索引データｓ５の値が検索パラメータＫＷの値と同じデータ（ｄｇ３）が検出されたか否かを判断し、データｄｇ３が検出されていないと判断した場合、処理Ｆ（図９）に進み、他方、データｄｇ３が検出されたと判断した場合、ステップＳ８１に進む。ステップＳ８１では、データｄｇ３の中から、指定されたエリアに存在する施設のデータｄｇ３１が検出されたか否かを判断し、データｄｇ３１が検出されていないと判断した場合、処理Ｆに進み、他方、データｄｇ３１が検出されたと判断した場合、ステップＳ８２に進む。ステップＳ８２では、参考結果として「設備特徴」の検索条件を満たす施設としてデータｄｇ３１を画面に表示し、その後処理Ｆに進む。
【００５９】
引き続き、ＣＰＵ１９ｃが行う一部の処理動作（Ｆ）を図９に示したフローチャートに基づいて説明する。まず、ステップＳ９０では、検索結果又は参照結果とする施設が表示されたか否かを判断し、前記施設が表示されていないと判断した場合、ステップＳ９６へ飛び、他方、前記施設が表示されたと判断した場合、ステップＳ９１に進む。ステップＳ９１では、表示されている施設が選択されているか否かを判断し、前記施設が選択されていないと判断した場合、ステップＳ９６へ飛び、他方、前記施設が選択されたと判断した場合、ステップＳ９２に進む。ステップＳ９２では、「メモリ地点とする」が選択されたか否かを判断し、「メモリ地点とする」が選択されていないと判断した場合、ステップＳ９４へ飛び、他方、「メモリ地点とする」が選択されたと判断した場合、ステップＳ９３に進む。ステップＳ９３では、選択された施設のデータをお気に入りデータベース（ＤＢ１１）に加え、ステップＳ９４に進む。ステップＳ９４では、「目的地とする」が選択されたか否かを判断し、「目的地とする」が選択されていないと判断した場合、ステップＳ９５を飛ばしてステップＳ９６に進み、他方、「目的地とする」が選択されたと判断した場合、ステップＳ９５に進む。ステップＳ９５では、経路探索を行い、地図情報と共に経路情報を画面に表示し、その後ステップＳ９６に進む。ステップＳ９６では、「戻る」が選択されたか否かを判断し、「戻る」が選択されていないと判断した場合、ステップＳ９０へ戻り、他方、「戻る」が選択されたと判断した場合、ステップＳ１へ戻る。
【００６０】
次に、既知の施設情報を登録させる場合、ＣＰＵ１９ｃが行う処理動作（Ｒ）を図１０に示したフローチャートに基づいて説明する。まず、ステップＳ１００では、施設情報の入力欄（図２ｏ）を画面上に表示し、その後ステップＳ１０１に進む。ステップＳ１０１では、施設の名称と所在地が入力されたか否かを確認し、施設の名称と所在地が入力されていないと判断した場合、ステップＳ１０１に戻り、他方、施設の名称と所在地が入力されたと判断した場合、ステップＳ１０２に進む。ステップＳ１０２では、「登録」が選択されたか否かを判断し、「登録」が選択されていないと判断した場合、ステップＳ１０３に進み、他方、「登録」が選択されたと判断した場合、ステップＳ１０４に進む。ステップＳ１０３では、「戻る」が選択されたか否かを判断し、「戻る」が選択されていないと判断した場合、ステップＳ１０３に戻り、他方、「戻る」が選択されたと判断した場合、ステップＳ２０に戻る。一方、ステップＳ１０４では、前記表示された入力欄から入力された施設の名称と所在地などの詳細情報を新しい施設情報データｎｄのデータ本体ｄに記録させ、その後ステップＳ１０５に進む。ステップＳ１０５では、検索パラメータＪの値をデータｎｄの索引データｓ１の値とし、その後ステップＳ１０６に進む。ステップＳ１０６では、検索パラメータＧの値をデータｎｄの索引データｓ２の値とし、その後ステップＳ１０７に進む。ステップＳ１０７では、検索パラメータＫＵの値をデータｎｄの索引データｓ３の値とし、その後ステップＳ１０８に進む。ステップＳ１０８では、検索パラメータＫＶの値をデータｎｄの索引データｓ４の値とし、その後ステップＳ１０９に進む。ステップＳ１０９では、検索パラメータＫＷの値をデータｎｄの索引データｓ５の値とし、その後ステップＳ１１０に進む。ステップＳ１１０では、データｎｄをデータベースＤＢ１下のＪ番のデータベース下のＧ番のデータベースに加え、その後ステップＳ１に戻る（表示画面を初期画面（図２ａに戻せる）。
【００６１】
上記実施の形態に係る情報端末装置によれば、施設の種類とグループが指定されるだけではなく、使用目的、サービス条件と設備特徴条件も検索条件とされるため、ユーザ所望の条件により近い施設を容易に検索することができる。また、検索条件を同一の画面で予め用意されている項目から指定することにより、検索条件が入力されるため、ユーザに手間を取らせることなく施設の検索ができる。また、指定された検索エリア内において施設が検出されていないと判断した場合、検出されなかったことをユーザに通知すると共に検索エリアに一番近い施設が参考情報として出力されるため、ユーザに有効な情報を提供することができる。また、指定された「ＡＮＤ」検索方式で施設が検出されていない場合、「使用目的」、「サービス」、「設備特徴」の各々に対して検索を行った結果が表示されるため、ユーザに参考となる情報を提供することができる。さらに、施設検索と同様な操作手順で既知施設情報が施設情報データベースＤＢ１に登録されるため、ユーザは新しい施設の情報または一般的に知られていない施設情報を簡単に登録することができる。
【図面の簡単な説明】
【００６２】
【図１】本発明の実施の形態に係る情報端末装置の要部を概略的に示したブロック図である。
【図２ａ】実施の形態に係る情報端末装置における施設情報の検索画面の例を示す図である。
【図２ｂ】実施の形態に係る情報端末装置における施設情報の検索画面の例を示す図である。
【図２ｃ】実施の形態に係る情報端末装置における施設情報の検索画面の例を示す図である。
【図２ｄ】実施の形態に係る情報端末装置における施設情報の検索画面の例を示す図である。
【図２ｅ】実施の形態に係る情報端末装置における施設情報の検索画面の例を示す図である。
【図２ｆ】実施の形態に係る情報端末装置における施設情報の検索画面の例を示す図である。
【図２ｇ】実施の形態に係る情報端末装置における施設情報の検索画面の例を示す図である。
【図２ｈ】実施の形態に係る情報端末装置における施設情報の検索画面の例を示す図である。
【図２ｉ】実施の形態に係る情報端末装置における施設情報の検索画面の例を示す図である。
【図２ｊ】実施の形態に係る情報端末装置における施設情報の検索画面の例を示す図である。
【図２ｋ】本発明の実施の形態に係る情報端末装置における施設情報の検索画面の例を示す図である。
【図２ｌ】実施の形態に係る情報端末装置における施設情報の検索画面の例を示す図である。
【図２ｍ】実施の形態に係る情報端末装置における施設情報の検索画面の例を示す図である。
【図２ｎ】実施の形態に係る情報端末装置における施設情報の検索画面の例を示す図である。
【図２ｏ】実施の形態に係る情報端末装置における施設情報の登録画面の例を示す図である。
【図３ａ】実施の形態に係る情報端末装置における施設情報データベースの構成を示す表である。
【図３ｂ】実施の形態に係る情報端末装置における施設情報データベースの構成を示す表である。
【図３ｃ】実施の形態に係る情報端末装置における施設情報データの構成を示す表である。
【図３ｄ】実施の形態に係る情報端末装置における施設情報データの例を示す表である。
【図３ｅ】実施の形態に係る情報端末装置における施設情報データの例を示す表である。
【図４】実施の形態に係る情報端末装置に採用されている検索パラメータを示す表である。
【図５ａ】実施の形態に係る情報端末装置におけるＣＰＵが行う一部の処理動作を示すフローチャートである。
【図５ｂ】実施の形態に係る情報端末装置におけるＣＰＵが行う一部の処理動作を示すフローチャートである。
【図６】実施の形態に係る情報端末装置におけるＣＰＵが行う一部の処理動作を示すフローチャートである。
【図７】実施の形態に係る情報端末装置におけるＣＰＵが行う一部の処理動作を示すフローチャートである。
【図８】実施の形態に係る情報端末装置におけるＣＰＵが行う一部の処理動作を示すフローチャートである。
【図９】実施の形態に係る情報端末装置におけるＣＰＵが行う一部の処理動作を示すフローチャートである。
【図１０】実施の形態に係る情報端末装置におけるＣＰＵが行う一部の処理動作を示すフローチャートである。
【図１１】特許文献１に開示されているナビゲーション装置の施設検索画面を示す図である。
【図１２】特許文献２に開示されているナビゲーション装置における使用目的によってグループ化された施設のカテゴリーを示す表である。
【符号の説明】
【００６３】
１０  情報端末装置
１１  ＧＰＳ受信機
１２  車速センサ
１３  ジャイロセンサ
１４  送受信手段
１５  記憶装置
１６  操作＆表示手段
１６ａ  液晶ディスプレイ
１６ｂ  操作ボタン
１６ｃ  タッチパネル
１６ｄ  リモコン
１７  音声合成手段
１８  画像合成手段
１９  マイクロコンピュータ
【図１】
2006162516.tif 000003
【図２ａ】
2006162516.tif 000004
【図２ｂ】
2006162516.tif 000005
【図２ｃ】
2006162516.tif 000006
【図２ｄ】
2006162516.tif 000007
【図２ｅ】
2006162516.tif 000008
【図２ｆ】
2006162516.tif 000009
【図２ｇ】
2006162516.tif 000010
【図２ｈ】
2006162516.tif 000011
【図２ｉ】
2006162516.tif 000012
【図２ｊ】
2006162516.tif 000013
【図２ｋ】
2006162516.tif 000014
【図２ｌ】
2006162516.tif 000015
【図２ｍ】
2006162516.tif 000016
【図２ｎ】
2006162516.tif 000017
【図２ｏ】
2006162516.tif 000018
【図３ａ】
2006162516.tif 000019
【図３ｂ】
2006162516.tif 000020
【図３ｃ】
2006162516.tif 000021
【図３ｄ】
2006162516.tif 000022
【図３ｅ】
2006162516.tif 000023
【図４】
2006162516.tif 000024
【図５ａ】
2006162516.tif 000025
【図５ｂ】
2006162516.tif 000026
【図６】
2006162516.tif 000027
【図７】
2006162516.tif 000028
【図８】
2006162516.tif 000029
【図９】
2006162516.tif 000030
【図１０】
2006162516.tif 000031
【図１１】
2006162516.tif 000032
【図１２】
2006162516.tif 000033